(57)【要約】【課題】使用者の利便性および冷水器の清潔性を図るとともに、冷蔵室内の電気部品の安全性を確保できる冷蔵庫を提供する。【解決手段】扉閉じ抑制機構２０は、冷水蓋１３が冷水容器１２に取り付けられた状態では、冷蔵室扉の開閉を自在とする一方、冷水蓋１３が冷水容器１２から取り外された状態では、冷蔵室扉の開状態を保持して冷蔵室扉が閉まらないようにする。【選択図】図４
2011007454.tif 000002
【特許請求の範囲】
【請求項１】
冷蔵室を有する冷蔵庫本体と、
上記冷蔵室を開閉するように上記冷蔵庫本体に取り付けられる冷蔵室扉と、
この冷蔵室扉に取り付けられる冷水器と
を備え、
この冷水器は、上記冷蔵室扉の内側に取り付けられると共に上方に開口する開口部を有する冷水容器と、この冷水容器の開口部を開閉するようにこの冷水容器に着脱自在に取り付けられる冷水蓋とを有し、
上記冷水容器には、扉閉じ抑制機構が設けられ、
この扉閉じ抑制機構は、上記冷水蓋が上記冷水容器に取り付けられた状態では、上記冷蔵室扉の開閉を自在とする一方、上記冷水蓋が上記冷水容器から取り外された状態では、上記冷蔵室扉の開状態を保持して上記冷蔵室扉が閉まらないようにすることを特徴とする冷蔵庫。
【請求項２】
請求項１に記載の冷蔵庫において、
上記扉閉じ抑制機構は、展開および折り畳み可能に形成され、
上記冷水蓋が上記冷水容器に取り付けられた状態では、上記扉閉じ抑制機構は、上記冷水蓋によって折り畳まれて、上記冷蔵室を形成する壁部に当たらず、上記冷蔵室扉の開閉を自在とする一方、上記冷水蓋が上記冷水容器から取り外された状態では、上記扉閉じ抑制機構は、展開して、上記冷蔵室を形成する壁部に当たって、上記冷蔵室扉が閉まらないようにすることを特徴とする冷蔵庫。
【請求項３】
請求項１または２に記載の冷蔵庫において、
上記扉閉じ抑制機構は、上記冷水容器の左右両側に、設けられていることを特徴とする冷蔵庫。
【請求項４】
請求項１から３の何れか一つに記載の冷蔵庫において、
上記冷蔵室扉は、左右片開きの扉であり、
上記扉閉じ抑制機構は、上記冷水容器の左右の上記冷蔵室扉の回転軸側に、設けられていることを特徴とする冷蔵庫。
【請求項５】
請求項１から４の何れか一つに記載の冷蔵庫において、
上記冷水蓋は、この左右方向の中央部に上方に開口する開口部を有することを特徴とする冷蔵庫。
【請求項６】
請求項１から５の何れか一つに記載の冷蔵庫において、
上記冷蔵室内に、ドアスイッチが設けられ、
このドアスイッチは、上記冷水容器および上記冷水蓋よりも上側に、配置されていることを特徴とする冷蔵庫。
【請求項７】
請求項１から５の何れか一つに記載の冷蔵庫において、
上記冷蔵室内に、磁石により動作する電気接点部を有するマグネット式リードスイッチが設けられ、
このマグネット式リードスイッチは、上記冷水容器および上記冷水蓋よりも下側に、配置されていることを特徴とする冷蔵庫。
【発明の詳細な説明】
【技術分野】
【０００１】
この発明は、冷水器を有する冷蔵庫に関する。
【背景技術】
【０００２】
従来、冷蔵庫としては、冷蔵室を有する冷蔵庫本体と、上記冷蔵室を開閉する冷蔵室扉と、この冷蔵室扉に取り付けられる冷水器とを備えたものがある（特開２００７−１４７０９１号公報：特許文献１、特開２００２−１１５９６０号公報：特許文献２、特開２００７−１７０４６号公報：特許文献３、特開２００７−４０６７６号公報：特許文献４）。この冷水器は、冷蔵室扉の内側に取り付けられるタンクを有し、このタンクには、水が溜められる。
【０００３】
しかしながら、このタンクには蓋がなく、使用者が、容易にタンク内を清掃できず、かつ、タンク内が、不衛生になる問題があった。
【０００４】
ここで、タンクに単に蓋を設けても、万一使用者が蓋の取り付けを忘れて、冷蔵室扉を閉めると、タンク内の水が、冷蔵室内へ飛び出して、冷蔵室内のドアスイッチ等の電気部品にかかり、最悪時は漏電に至る問題があった。
【先行技術文献】
【特許文献】
【０００５】
【特許文献１】特開２００７−１４７０９１号公報
【特許文献２】特開２００２−１１５９６０号公報
【特許文献３】特開２００７−１７０４６号公報
【特許文献４】特開２００７−４０６７６号公報
【発明の概要】
【発明が解決しようとする課題】
【０００６】
そこで、この発明の課題は、使用者の利便性および冷水器の清潔性を図るとともに、冷蔵室内の電気部品の安全性を確保できる冷蔵庫を提供することにある。
【課題を解決するための手段】
【０００７】
上記課題を解決するため、この発明の冷蔵庫は、
冷蔵室を有する冷蔵庫本体と、
上記冷蔵室を開閉するように上記冷蔵庫本体に取り付けられる冷蔵室扉と、
この冷蔵室扉に取り付けられる冷水器と
を備え、
この冷水器は、上記冷蔵室扉の内側に取り付けられると共に上方に開口する開口部を有する冷水容器と、この冷水容器の開口部を開閉するようにこの冷水容器に着脱自在に取り付けられる冷水蓋とを有し、
上記冷水容器には、扉閉じ抑制機構が設けられ、
この扉閉じ抑制機構は、上記冷水蓋が上記冷水容器に取り付けられた状態では、上記冷蔵室扉の開閉を自在とする一方、上記冷水蓋が上記冷水容器から取り外された状態では、上記冷蔵室扉の開状態を保持して上記冷蔵室扉が閉まらないようにすることを特徴としている。
【０００８】
この発明の冷蔵庫によれば、上記冷水器は、上記冷水容器と、この冷水容器に着脱自在に取り付けられる冷水蓋とを有するので、使用者は、冷水蓋を取り外して冷水容器内を容易に清掃でき、使用者の利便性および冷水器の清潔性を図ることができる。
【０００９】
また、上記冷水容器に設けられた扉閉じ抑制機構は、上記冷水蓋が上記冷水容器に取り付けられた状態では、上記冷蔵室扉の開閉を自在とする一方、上記冷水蓋が上記冷水容器から取り外された状態では、上記冷蔵室扉の開状態を保持して上記冷蔵室扉が閉まらないようにするので、万一使用者が冷水蓋の取り付けを忘れても、冷蔵室扉が閉まらない。このため、冷蔵室内の電気部品に、冷水容器内の水がかかることを防止できて、電気部品の安全性を確保できる。
【００１０】
また、一実施形態の冷蔵庫では、
上記扉閉じ抑制機構は、展開および折り畳み可能に形成され、
上記冷水蓋が上記冷水容器に取り付けられた状態では、上記扉閉じ抑制機構は、上記冷水蓋によって折り畳まれて、上記冷蔵室を形成する壁部に当たらず、上記冷蔵室扉の開閉を自在とする一方、上記冷水蓋が上記冷水容器から取り外された状態では、上記扉閉じ抑制機構は、展開して、上記冷蔵室を形成する壁部に当たって、上記冷蔵室扉が閉まらないようにする。
【００１１】
この実施形態の冷蔵庫によれば、上記冷水蓋が上記冷水容器に取り付けられた状態では、上記扉閉じ抑制機構は、上記冷水蓋によって折り畳まれて、上記冷蔵室を形成する壁部に当たらず、上記冷蔵室扉の開閉を自在とする一方、上記冷水蓋が上記冷水容器から取り外された状態では、上記扉閉じ抑制機構は、展開して、上記冷蔵室を形成する壁部に当たって、上記冷蔵室扉が閉まらないようにするので、簡単な構成で、冷水蓋が取り外されたときの冷蔵室扉の閉状態を抑制できる。
【００１２】
また、一実施形態の冷蔵庫では、上記扉閉じ抑制機構は、上記冷水容器の左右両側に、設けられている。
【００１３】
この実施形態の冷蔵庫によれば、上記扉閉じ抑制機構は、上記冷水容器の左右両側に、設けられているので、冷蔵室扉が左右両開きの扉である場合、冷蔵室扉が左右どちらに開いても、この扉閉じ抑制機構は、冷水蓋が取り外されたときの冷蔵室扉の閉状態を一層確実に抑制できる。
【００１４】
また、一実施形態の冷蔵庫では、
上記冷蔵室扉は、左右片開きの扉であり、
上記扉閉じ抑制機構は、上記冷水容器の左右の上記冷蔵室扉の回転軸側に、設けられている。
【００１５】
この実施形態の冷蔵庫によれば、上記扉閉じ抑制機構は、上記冷水容器の左右の上記冷蔵室扉の回転軸側に、設けられているので、この扉閉じ抑制機構は、冷水蓋が取り外されたときの冷蔵室扉の閉状態を一層確実に抑制できる。
【００１６】
また、一実施形態の冷蔵庫では、上記冷水蓋は、この左右方向の中央部に上方に開口する開口部を有する。
【００１７】
この実施形態の冷蔵庫によれば、上記冷水蓋は、上方に開口する開口部を有するので、使用者は、この開口部から水を投入し易い。また、この開口部は、冷水蓋の左右方向の中央部に設けられているので、この開口部からの万一の溢水による冷蔵室内の電気部品の漏電懸念を最小限にできる。
【００１８】
また、一実施形態の冷蔵庫では、
上記冷蔵室内に、ドアスイッチが設けられ、
このドアスイッチは、上記冷水容器および上記冷水蓋よりも上側に、配置されている。
【００１９】
ここで、上記ドアスイッチは、例えば、冷蔵室扉の開閉を検知して、冷蔵室内の照明のオンオフの切り換えや、冷気循環ファンモータのオンオフの切り換えを行う。
【００２０】
この実施形態の冷蔵庫によれば、上記ドアスイッチは、上記冷水容器および上記冷水蓋よりも上側に、配置されているので、冷水容器からの万一の溢水によるドアスイッチの漏電懸念を防止できる。
【００２１】
また、一実施形態の冷蔵庫では、
上記冷蔵室内に、磁石により動作する電気接点部を有するマグネット式リードスイッチが設けられ、
このマグネット式リードスイッチは、上記冷水容器および上記冷水蓋よりも下側に、配置されている。
【００２２】
ここで、上記マグネット式リードスイッチは、例えば、冷蔵室扉の開閉を検知して、冷蔵室内の照明のオンオフの切り換えや、冷気循環ファンモータのオンオフの切り換えを行う。
【００２３】
この実施形態の冷蔵庫によれば、上記マグネット式リードスイッチは、上記冷水容器および上記冷水蓋よりも下側に、配置されているので、冷水容器を冷蔵室扉の最上部に取り付けることができ、冷水器による自然落下式給水を確実に実現できる。また、冷水容器からの万一の溢水が、マグネット式リードスイッチにかかっても、スイッチの漏電に至る懸念がない。
【発明の効果】
【００２４】
この発明の冷蔵庫によれば、上記冷水器は、上記冷水容器と、この冷水容器に着脱自在に取り付けられる冷水蓋とを有し、上記冷水容器に設けられた扉閉じ抑制機構は、上記冷水蓋が上記冷水容器に取り付けられた状態では、上記冷蔵室扉の開閉を自在とする一方、上記冷水蓋が上記冷水容器から取り外された状態では、上記冷蔵室扉の開状態を保持して上記冷蔵室扉が閉まらないようにするので、使用者の利便性および冷水器の清潔性を図るとともに、冷蔵室内の電気部品の安全性を確保できる。
【図面の簡単な説明】
【００２５】
【図１】本発明の冷蔵庫の第１実施形態を示す正面図である。
【図２】扉が開いた状態の冷蔵庫の正面図である。
【図３】冷蔵庫の断面図である。
【図４】冷水容器に冷水蓋を取り付けた状態を示す扉閉じ抑制機構の正面断面図である。
【図５】冷水容器から冷水蓋を取り外した状態を示す扉閉じ抑制機構の正面断面図である。
【図６Ａ】冷水容器から冷水蓋を取り外した状態を示す他の扉閉じ抑制機構の正面断面図である。
【図６Ｂ】冷水容器に冷水蓋を取り付けた状態を示す他の扉閉じ抑制機構の正面断面図である。
【発明を実施するための形態】
【００２６】
以下、この発明を図示の実施の形態により詳細に説明する。
【００２７】
（第１の実施形態）
図１は、この発明の冷蔵庫の一実施形態である正面図を示している。図１に示すように、この冷蔵庫は、冷蔵庫本体１と、この冷蔵庫本体１に取り付けられる冷凍室扉５および冷蔵室扉６とを有する。冷蔵室扉６は、冷凍室扉５の下側に、位置する。冷蔵室扉６には、冷水器１０が取り付けられている。冷水器１０は、冷蔵室扉６の外側に、冷水取り出し部１１を有する。使用者は、冷蔵室扉６を閉じたままで、白抜きの矢印に示すようにコップ７を冷水取り出し部１１に設置して、冷水を取り出す。
【００２８】
図２に示すように、上記冷蔵庫本体１は、上部に冷凍室２と、下部に冷蔵室３とを有する。冷凍室２と冷蔵室３とは、仕切り壁４によって、仕切られている。冷蔵室３の温度は、例えば、約５℃であり、冷凍室２の温度は、例えば、約−１８℃である。上記冷凍室扉５は、冷凍室２を開閉し、上記冷蔵室扉６は、冷蔵室３を開閉する。
【００２９】
上記冷凍室扉５および上記冷蔵室扉６は、冷蔵庫本体１の右側に回転軸を有する右開きの扉である。ここで、左右方向とは、冷蔵庫を正面からみたときの左右方向をいい、前後方向とは、冷蔵庫を正面からみたときの手前奥方向をいう。
【００３０】
上記冷水器１０は、冷蔵室扉６の上部の内側に取り付けられる冷水容器１２と、この冷水容器１２に着脱自在に取り付けられる冷水蓋１３とを有する。
【００３１】
上記冷蔵室３内には、ドアスイッチ８が設けられている。ドアスイッチ８は、冷蔵室３を形成する右壁部の内面に取り付けられている。ドアスイッチ８は、冷水容器１２および冷水蓋１３の下側に、配置されている。
【００３２】
上記ドアスイッチ８は、例えば、冷蔵室扉６の開閉を検知して、冷蔵室３内の（図示しない）照明のオンオフの切り換えや、（図示しない）冷気循環用のファンモータのオンオフの切り換えを行う。
【００３３】
上記冷凍室２の奥壁の後方には、（図示しない）冷媒循環用のファンモータや冷却器が設置されている。上記冷蔵室３の奥壁の後方には、（図示しない）電動ダンパー駆動用電動機や冷媒圧縮用の圧縮電動機が設置されている。
【００３４】
図３の側面断面図に示すように、上記冷水容器１２は、冷蔵室扉６の内側に位置し、上記冷水取り出し部１１は、冷蔵室扉６の外側に位置する。冷水容器１２には、水が溜められ、この水は、冷蔵室３で冷却される。冷水取り出し部１１は、冷水容器１２の下側に、位置し、冷水取り出し部１１と冷水容器１２とは、配管で接続されている。このため、冷水取り出し部１１では、自然落下式の給水により、コップ７に水を供給する。
【００３５】
図４の正面断面図に示すように、上記冷水容器１２は、上方に開口する開口部１２ａを有し、上記冷水蓋１３は、冷水容器１２の開口部１２ａを開閉する。上記冷水蓋１３は、この左右方向の中央部に上方に開口する開口部１３ａを有し、この開口部１３ａには、図示しないスライド式の蓋が設けられている。
【００３６】
上記冷水容器１２には、この左右両側に、扉閉じ抑制機構２０が設けられている。この扉閉じ抑制機構２０は、図４に示すように、冷水蓋１３が冷水容器１２に取り付けられた状態では、冷蔵室扉６の開閉を自在とする一方、図５に示すように、冷水蓋１３が冷水容器１２から取り外された状態では、冷蔵室扉６の開状態を保持して冷蔵室扉６が閉まらないようにする。
【００３７】
具体的に述べると、上記扉閉じ抑制機構２０は、第１の部材２１と第２の部材２２とを有する。第１の部材２１は、冷水容器１２の左右側面に取り付けられている。第２の部材２２は、第１の部材２１に揺動自在に取り付けられている。第２の部材２２は、図４中の仮想線に示すように、垂直方向に立つように、常時付勢されている。第２の部材２２は、バネ等の弾性体によって、付勢されている。つまり、扉閉じ抑制機構２０は、展開および折り畳み可能に形成され、常時展開するように付勢されている。
【００３８】
そして、図４に示すように、上記冷水蓋１３が冷水容器１２に取り付けられた状態では、上記扉閉じ抑制機構２０の第２の部材２２は、冷水蓋１３によって折り畳まれる。このため、扉閉じ抑制機構２０は、冷蔵室３を形成する壁部である仕切り壁４に当たらず、冷蔵室扉６の開閉を自在とする。
【００３９】
一方、図５に示すように、上記冷水蓋１３が冷水容器１２から取り外された状態では、上記扉閉じ抑制機構２０の第２の部材２２は、撥ね上がって起立し、扉閉じ抑制機構２０は、展開する。このため、扉閉じ抑制機構２０は、冷蔵室３を形成する壁部である仕切り壁４に当たって、冷蔵室扉６が閉まらないようにする。
【００４０】
上記構成の冷蔵庫によれば、上記冷水器１０は、上記冷水容器１２と、この冷水容器１２に着脱自在に取り付けられる冷水蓋１３とを有するので、使用者は、冷水蓋１３を取り外して冷水容器１２内を容易に清掃でき、使用者の利便性および冷水器１０の清潔性を図ることができる。
【００４１】
また、上記冷水容器１２に設けられた扉閉じ抑制機構２０は、上記冷水蓋１３が上記冷水容器１２に取り付けられた状態では、上記冷蔵室扉６の開閉を自在とする一方、上記冷水蓋１３が上記冷水容器１２から取り外された状態では、上記冷蔵室扉６の開状態を保持して上記冷蔵室扉６が閉まらないようにするので、万一使用者が冷水蓋１３の取り付けを忘れても、冷蔵室扉６が閉まらない。このため、冷蔵室３内の電気部品に、冷水容器１２内の水がかかることを防止できて、電気部品の安全性を確保できる。この電気部品としては、例えば、冷水容器１２および冷水蓋１３の下側に配置されているドアスイッチ８である。
【００４２】
また、上記冷水蓋１３が上記冷水容器１２に取り付けられた状態では、上記扉閉じ抑制機構２０は、上記冷水蓋１３によって折り畳まれて、上記仕切り壁４に当たらず、上記冷蔵室扉６の開閉を自在とする一方、上記冷水蓋１３が上記冷水容器１２から取り外された状態では、上記扉閉じ抑制機構２０は、展開して、上記仕切り壁４に当たって、上記冷蔵室扉６が閉まらないようにするので、簡単な構成で、冷水蓋１３が取り外されたときの冷蔵室扉６の閉状態を抑制できる。
【００４３】
また、上記扉閉じ抑制機構２０は、上記冷水容器１２の左右両側に、設けられているので、右開きの冷蔵室扉６に対して、この扉６の右側の回転軸側に存在する右側の扉閉じ抑制機構２０が対応して、冷水蓋１３が取り外されたときの冷蔵室扉６の閉状態を一層確実に抑制できる。一方、冷蔵室扉６を左開きに変更したとき、この扉６の左側の回転軸側に存在する左側の扉閉じ抑制機構２０が対応して、冷水蓋１３が取り外されたときの冷蔵室扉６の閉状態を一層確実に抑制できる。なお、冷蔵室扉６が左右両開きの扉である場合、冷蔵室扉６が左右どちらに開いても、この扉閉じ抑制機構２０は、冷水蓋１３が取り外されたときの冷蔵室扉６の閉状態を一層確実に抑制できる。
【００４４】
また、上記冷水蓋１３は、上方に開口する開口部１３ａを有するので、使用者は、この開口部１３ａから水を投入し易い。また、この開口部１３ａは、冷水蓋１３の左右方向の中央部に設けられているので、この開口部１３ａからの万一の溢水による冷蔵室３内の電気部品の漏電懸念を最小限にできる。
【００４５】
（第２の実施形態）
図６Ａと図６Ｂは、この発明の冷蔵庫の第２の実施形態を示している。上記第１の実施形態と相違する点を説明すると、この第２の実施形態では、扉閉じ抑制機構の構成が相違する。なお、その他の構造は、上記第１の実施形態と同じであるため、その説明を省略する。
【００４６】
図６Ａに示すように、扉閉じ抑制機構２０Ａは、第１の部材２１Ａと第２の部材２２Ａとを有する。第１の部材２１Ａは、冷水容器１２の左右側面に取り付けられている。第２の部材２２Ａは、第１の部材２１Ａ内に進退自在に取り付けられている。第２の部材２２Ａは、第１の部材２１Ａ内から退出するように、常時付勢されている。第２の部材２２Ａは、バネ等の弾性体によって、付勢されている。第１の部材２１Ａは、例えばシリンダであり、第２の部材２２は、例えばロッドである。つまり、扉閉じ抑制機構２０Ａは、伸縮可能に形成され、常時伸張するように付勢されている。
【００４７】
そして、図６Ａに示すように、冷水蓋１３が冷水容器１２から取り外された状態では、上記扉閉じ抑制機構２０Ａの第２の部材２２Ａは、第１の部材２１Ａ内から飛び出して、扉閉じ抑制機構２０Ａは、伸張する。このため、扉閉じ抑制機構２０Ａは、冷蔵室３を形成する壁部である仕切り壁４に当たって、冷蔵室扉６が閉まらないようにする。
【００４８】
一方、図６Ｂに示すように、冷水蓋１３が冷水容器１２に取り付けられた状態では、上記扉閉じ抑制機構２０Ａの第２の部材２２Ａは、冷水蓋１３によって、第１の部材２１Ａ内に押し込まれる。このため、扉閉じ抑制機構２０Ａは、冷蔵室３を形成する壁部である仕切り壁４に当たらず、冷蔵室扉６の開閉を自在とする。
【００４９】
なお、この発明は上述の実施形態に限定されない。例えば、冷蔵室扉は、左右片開きの扉であり、上記扉閉じ抑制機構を、冷水容器の左右の冷蔵室扉の回転軸側のみに、設けるようにしてもよい。したがって、扉閉じ抑制機構の数量を低減しつつ、冷水蓋が取り外されたときの冷蔵室扉の閉状態を一層確実に抑制できる。
【００５０】
また、上記ドアスイッチを、冷水容器および冷水蓋よりも上側に、配置してもよい。したがって、冷水容器からの万一の溢水によるドアスイッチの漏電懸念を防止できる。
【００５１】
また、上記ドアスイッチの換わりに、冷蔵室内に、磁石により動作する電気接点部を有するマグネット式リードスイッチを設け、このマグネット式リードスイッチを、冷水容器および冷水蓋よりも下側に、配置してもよい。マグネット式リードスイッチの電気接点部は、密閉されている。したがって、冷水容器を冷蔵室扉の最上部に取り付けることができ、冷水器による自然落下式給水を確実に実現できる。また、冷水容器からの万一の溢水が、マグネット式リードスイッチにかかっても、スイッチの漏電に至る懸念がない。
【００５２】
また、上記扉閉じ抑制機構の構成は、冷水蓋を取り付けた状態では、冷蔵室扉の開閉を自在とする一方、冷水蓋を取り外した状態では、冷蔵室扉が閉まらないようにする構成であれば、どのような構成であってもよい。
【００５３】
また、上記扉閉じ抑制機構を、仕切り壁以外に、冷蔵室を形成する壁部である左右横壁や下壁に当たるようにしてもよい。また、冷水容器を冷蔵室扉の下部に取り付けてもよい。
【符号の説明】
【００５４】
１  冷蔵庫本体
２  冷凍室
３  冷蔵室
４  仕切り壁
５  冷凍室扉
６  冷蔵室扉
７  コップ
８  ドアスイッチ
１０  冷水器
１１  冷水取り出し部
１２  冷水容器
１２ａ  開口部
１３  冷水蓋
１３ａ  開口部
２０、２０Ａ  扉閉じ抑制機構
２１、２１Ａ  第１の部材
２２、２２Ａ  第２の部材
【図１】
2011007454.tif 000003
【図２】
2011007454.tif 000004
【図３】
2011007454.tif 000005
【図４】
2011007454.tif 000006
【図５】
2011007454.tif 000007
【図６Ａ】
2011007454.tif 000008
【図６Ｂ】
2011007454.tif 000009